(57)【要約】【課題】  製品構造と製造工程の両面から検討して、製造が容易な固定子を備える回転電機を、また、磁気騒音を低減でき、製造が容易な相巻線回路を備える回転電機を提供する。【解決手段】  複数のスロットを回転軸方向に形成した固定子鉄心３と、複数のスロットに挿入した固定子巻線とからなる固定子２を備える回転電機において、固定子巻線は、複数のスロットのそれぞれに回転軸方向から挿入した複数の導体４からなり、固定子２は、複数の導体４を回転軸方向から挿入するスリット１３を設けた接続リング１を有する。【選択図】        図４
2005253145.tif 000002
【特許請求の範囲】
【請求項１】
複数のスロットを回転軸方向に形成した固定子鉄心と、前記複数のスロットに挿入した固定子巻線とからなる固定子を備える回転電機において、
前記固定子巻線は、前記複数のスロットのそれぞれに回転軸方向から挿入した複数の導体からなり、前記固定子は、前記複数の導体を回転軸方向から挿入するスリットを設けた接続リングを有することを特徴とする回転電機。
【請求項２】
複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、
前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記多相巻線の巻き始めと他の多相巻線の巻き終りは、前記複数の磁極に対応するように前記固定子鉄心のスロットを跨いで電気的に接続した複数の前記導体とは反対方向に捻った導体で接続することを特徴とする回転電機。
【請求項３】
複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、
前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記多相巻線は、跨ぎ幅の異なる導体で電気的に接続して、隣接するスロットの導線のいくつかを同相とすることを特徴とする回転電機。
【請求項４】
複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、
前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成されてなり、前記固定子巻線は、その相数、前記スロットの個数及び前記磁極の極数から決定される毎極毎相スロット数が２．５、磁極の１極当たり５本の導体で構成している磁極の極数が１２、前記スロットの個数が９０、相数が３であって、内側、外側の２重の回路から構成し、磁極の１極当たり導体が内側３本と外側２本及び内側２本と外側３本のそれぞれ５本からなる組合せとなることを特徴とする回転電機。
【請求項５】
請求項４に記載の回転電機において、
上記回転子の磁極２極、すなわち極性の異なるＮ極とＳ極の磁極一対当たりに上記スロットが１５個配置しており、上記固定子巻線は、跨ぎ幅が７スロット相当の角度で、かつ、両端末の捻り角度が４スロット相当の角度の導体で電気的に接続することを特徴とする回転電機。
【請求項６】
請求項４に記載の回転電機において、
上記内側、外側の３本の導体はそれぞれ２本と１本に区分し、内側、外側の２本の導体はそれぞれ各１本に区分し、それぞれが波巻きとなることを特徴とする回転電機。
【請求項７】
請求項６に記載の回転電機において、
上記２本に区分された導体は、隣接するスロットに配置し、跨ぎ幅の異なる導体で電気的に接続して回路を構成することを特徴とする回転電機。
【請求項８】
請求項５又は６に記載の回転電機において、
それぞれが波巻きとなる巻き始めと巻き終りを最内層と最外層に配置したブリッジ線で電気的に接続して回路を構成することを特徴とする回転電機。
【請求項９】
請求項８に記載の回転電機において、
内側回路の巻き終りと外側回路の巻き始めを逆捻りの導体で電気的に接続して回路を構成することを特徴とする回転電機。
【請求項１０】
請求項９に記載の回転電機において、
電気的に接続して回路を構成する際、端末部を組付けて固定する接続リングを有すること特徴とする回転電機。
【請求項１１】
複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、
前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記固定子巻線は、その相数、前記スロットの個数及び前記磁極の極数から決定される毎極毎相スロット数が２．５、磁極の１極当たり５本の導体で構成している磁極の極数が１２、前記スロットの個数が９０、相数が３であって、内側、外側の２重の回路から構成し、磁極の１極当たり導体が内側３本と外側２本及び内側２本と外側３本のそれぞれ５本からなる組合せで、前記回転子の磁極２極、すなわち極性の異なるＮ極とＳ極の磁極一対当たりにスロットが１５個配置しており、前記固定子巻線は、跨ぎ幅が８スロット相当の角度で、かつ、両端末の捻り角度が３．５スロット相当の角度の導体で電気的に接続することを特徴とする回転電機。
【請求項１２】
請求項１１に記載の回転電機において、
上記内側、外側の３本の導体はそれぞれ２本と１本に区分し、内側、外側の２本の導体はそれぞれ各１本に区分し、それぞれが波巻きとなることを特徴とする回転電機。
【請求項１３】
請求項１２に記載の回転電機において、
上記２本に区分し導体は、隣接するスロットに配置し、跨ぎ幅の異なる導体で電気的に接続して回路を構成することを特徴とする回転電機。
【請求項１４】
請求項１２又は１３に記載の回転電機において、
それぞれが波巻きとなる巻き始めと巻き終りを最内層と最外層に配置したブリッジ線で電気的に接続して回路を構成することを特徴とする回転電機。
【請求項１５】
複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、
前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記固定子巻線は、その相数、前記スロットの個数及び前記磁極の極数から決定される毎極毎相スロット数が２．５、磁極の１極当たり５本の前記導体で構成している磁極の極数が１２、前記スロットの個数が９０、前記固定子巻線の相数が３であって、内側、外側の２重の回路から構成し、磁極の１極当たり導体が内側５本と外側０本及び内側０本と外側５本のそれぞれ５本からなる組合せのアンバランス巻きであることを特徴とする回転電機。
【発明の詳細な説明】
【技術分野】
【０００１】
本発明は、回転電機であり、特に内燃機関によって駆動されて発電し、車載電気負荷や車載電源に電力を供給する車両用交流発電機等の回転電機の固定子に関する。
【背景技術】
【０００２】
従来、回転電機の固定子導体端末部の接続としては、例えば特許文献１、特許文献２が知られている。特許文献１においては、周方向に隣り合う２つの導体端末部の間のそれぞれに、両側の前記導体端末部と接触させて保持具を配置し、複数の前記導体端末部を保持する。複数の前記導体端末部を保持した状態で先端部を接合する。接合後、保持具を移動させ、解除する製造方法である。特許文献２においては、導体端末部に切り欠きを入れ、切り欠き部の断面積を他の部位の断面積より小さくして入熱量を低減する接合方法で行っている。
【０００３】
従来の固定子巻線構成としては、例えば特許文献３が知られている。特許文献３においては、回転子のＮＳ磁極ピッチに対応して離間する複数の第１スロット群に収容された電気導体を電気的に直列接続して第１巻線を構成し、第１スロット群に隣接する複数の第２スロット群に収容された電気導体を電気的に直列接続して第２巻線を構成している。そして、特許文献１に記載されたものでは、第１巻線と第２巻線とを電気的に直列接続して固定子巻線を構成している。
【特許文献１】特許第３２０１３９７号公報
【特許文献２】特許第３３０３８５４号公報
【特許文献３】特開平１１−１５５２７０号公報
【特許文献４】特開平１０‐４６４６号公報
【発明の開示】
【発明が解決しようとする課題】
【０００４】
特許文献１に記載されたものでは、保持具で、導体端末部の内径、外径、隣接する複数の導体端末部を保持して、ＴＩＧ等で溶融している。上記接合では、複数の保持具と導体の接触状態により、入熱に対する熱引き量が変化して、溶融状態が変化する。また、連続溶接においては、保持具が＋電極を兼ねる。隣接する複数の導体の間に挿入する保持具が＋電極との同通が無い場合、隣接する導体への入熱が大きくなり、溶融状態が変化する。入熱が大きいと保持具と導体が接合する心配がある。溶融面積は、導体断面積より大きいことが求められるため、溶融部は導体断面積より大きくなる。これにより、内径、外径の保持具は接続後、製品から取り出せない心配がある。
【０００５】
特許文献２に記載されたものでは、導体端末部に切り欠きを入れるが、導体を定寸切断後、あるいは、Ｕ字成形後に端末部に切り欠きを施す工程が必要となり、ライン製作出来ない。また、ＴＩＧ等で溶融するためには、端末部は、４面（全面）剥離が必要で、剥離工程が複雑である。また、溶融させることから、接合付近が熱脆性で脆くなることが心配されるので、導体材料は高価な無酸素銅を採用する必要がある。
【０００６】
特許文献３に記載されたものでは、電気的に位相がずれた第１巻線と第２巻線とを電気的に直列接続して起磁脈動力を低減し、磁気騒音を低減している。しかしながら、特許文献３に記載されたものでは、同一のスロット内における電気導体を電気的に直列接続して第１巻線及び第２巻線を構成している。このような構成では、固定子巻線の起磁力分布に多くの高調波成分を含むことになる。高調波成分は、磁気騒音の増加の要因になる。これを解決するため、相巻線を構成する導体を、隣接する複数のスロットに渡って配置することで、固定子巻線の起磁力分布を滑らかにでき、起磁力分布に含まれる高調波成分を低減でき、磁気騒音を低減できる。しかし、上記巻線構成では、隣接するスロットに導体を配置することは導体の種類が増えることで複雑となり、これに伴い製造工程も複雑となる課題がある。
【０００７】
本発明は、製品構造と製造工程の両面から検討して、製造が容易な固定子を備えた回転電機を提供する。また、もう一つの発明は、磁気騒音を低減でき、製造が容易な相巻線回路を備えた回転電機を提供する。
【課題を解決するための手段】
【０００８】
本発明は、複数のスロットを回転軸方向に形成した固定子鉄心と、前記複数のスロットに挿入した固定子巻線とからなる固定子を備える回転電機において、前記固定子巻線は、前記複数のスロットのそれぞれに回転軸方向から挿入した複数の導体からなり、前記固定子は、前記複数の導体を回転軸方向から挿入するスリットを設けた接続リングを有する回転電機である。
【０００９】
また、本発明は、複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記多相巻線の巻き始めと他の多相巻線の巻き終りは、前記複数の磁極に対応するように前記固定子鉄心のスロットを跨いで電気的に接続した複数の前記導体とは反対方向に捻った導体で接続する回転電機である。
【００１０】
そして、本発明は、複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記多相巻線は、跨ぎ幅の異なる導体で電気的に接続して、隣接するスロットの導線のいくつかを同相とする回転電機である。
【００１１】
更に、本発明は、複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成されてなり、前記固定子巻線は、その相数、前記スロットの個数及び前記磁極の極数から決定される毎極毎相スロット数が２．５、磁極の１極当たり５本の導体で構成している磁極の極数が１２、前記スロットの個数が９０、相数が３であって、内側、外側の２重の回路から構成し、磁極の１極当たり導体が内側３本と外側２本及び内側２本と外側３本のそれぞれ５本からなる組合せとなる回転電機である。
【００１２】
また、本発明は、上記回転子の磁極２極、すなわち極性の異なるＮ極とＳ極の磁極一対当たりに上記スロットが１５個配置しており、上記固定子巻線は、跨ぎ幅が７スロット相当の角度で、かつ、両端末の捻り角度が４スロット相当の角度の導体で電気的に接続する回転電機である。
【００１３】
そして、本発明は、上記内側、外側の３本の導体はそれぞれ２本と１本に区分し、内側、外側の２本の導体はそれぞれ各１本に区分し、それぞれが波巻きとなる回転電機である。
【００１４】
更に、本発明は、上記２本に区分された導体は、隣接するスロットに配置し、跨ぎ幅の異なる導体で電気的に接続して回路を構成する回転電機である。
【００１５】
また、本発明は、それぞれが波巻きとなる巻き始めと巻き終りを最内層と最外層に配置したブリッジ線で電気的に接続して回路を構成する回転電機である。
【００１６】
そして、本発明は、内側回路の巻き終りと外側回路の巻き始めを逆捻りの導体で電気的に接続して回路を構成する回転電機である。
【００１７】
更に、本発明は、電気的に接続して回路を構成する際、端末部を組付けて固定する接続リングを有する回転電機である。
【００１８】
また、本発明は、複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記固定子巻線は、その相数、前記スロットの個数及び前記磁極の極数から決定される毎極毎相スロット数が２．５、磁極の１極当たり５本の導体で構成している磁極の極数が１２、前記スロットの個数が９０、相数が３であって、内側、外側の２重の回路から構成し、磁極の１極当たり導体が内側３本と外側２本及び内側２本と外側３本のそれぞれ５本からなる組合せで、前記回転子の磁極２極、すなわち極性の異なるＮ極とＳ極の磁極一対当たりにスロットが１５個配置しており、前記固定子巻線は、跨ぎ幅が８スロット相当の角度で、かつ、両端末の捻り角度が３．５スロット相当の角度の導体で電気的に接続する回転電機である。
【００１９】
そして、本発明は、上記内側、外側の３本の導体はそれぞれ２本と１本に区分し、内側、外側の２本の導体はそれぞれ各１本に区分し、それぞれが波巻きとなる回転電機である。
【００２０】
更に、本発明は、上記２本に区分し導体は、隣接するスロットに配置し、跨ぎ幅の異なる導体で電気的に接続して回路を構成する回転電機である。
【００２１】
また、本発明は、それぞれが波巻きとなる巻き始めと巻き終りを最内層と最外層に配置したブリッジ線で電気的に接続して回路を構成する回転電機である。
【００２２】
そして、本発明は、複数のスロットを回転軸方向に形成した固定子鉄心を有すると共に、前記複数のスロットのそれぞれに挿入した複数の導体で構成した固定子巻線を有する固定子と、回転方向に極性が交互に異なるように配置した複数の磁極を有すると共に、前記固定子との間に空隙を形成して設けた回転子とを備える回転電機であって、前記固定子巻線はいくつかの多相巻線から構成し、１つの多相巻線は２以上の相巻線から構成し、１相分の相巻線は前記複数の磁極に対応するように前記固定子鉄心のスロットを跨いで電気的に接続した複数の前記導体から構成してなり、前記固定子巻線は、その相数、前記スロットの個数及び前記磁極の極数から決定される毎極毎相スロット数が２．５、磁極の１極当たり５本の前記導体で構成している磁極の極数が１２、前記スロットの個数が９０、前記固定子巻線の相数が３であって、内側、外側の２重の回路から構成し、磁極の１極当たり導体が内側５本と外側０本及び内側０本と外側５本のそれぞれ５本からなる組合せのアンバランス巻きである回転電機である。
【発明の効果】
【００２３】
本発明の回転電機の固定子は、接続リングにより多点接続する特徴がある。導体端末部の接続は、接続リングを採用することで、導体端末部の切り欠き等の細工を必要としない。また、導体端末部に接続リングを組付けることで、端末位置が固定されるので、導体位置決めの保持具を必要としない。導体端末部を接続して、接続リングを分離することで電機子巻線を構成する。上記方式は、接続リングを接続するため、接合部断面積は１本の導体断面積以上を確保できる。接続方式は、フュージング（熱加締め）等で行うことが出来るため、端末剥離は２面剥離で接続可能である。また、接合部は融合させないので、高価な無酸素銅を採用する必要がなく、通常のタフピッチ銅を採用できる。
【００２４】
もう一つの発明の回転電機の固定子は、起磁力分布に含まれる高調波成分を低減でき、磁気騒音を低減できる。また、上記回転電機の固定子は、物の作りやすさ、プロセスのシンプル化を考慮した点に特徴がある。
【発明を実施するための最良の形態】
【００２５】
本発明を実施するための最良の形態を説明する。
製造を容易にするための本発明の回転電機の固定子は、複数の導体端末部に接続リングを組付け、接続位置を固定する構造にすることによって達成できる。
【００２６】
固定子巻線の導体端末部は、定寸切断時に幅広面を左右対称の２面剥離と先端形状は左右対称、上下対称のネイルシェイプ状の成形を同時に行う構成とすることができる。定寸切断された導体は、強制保持された状態でＵ字成形され、１台当りの固定子巻線に必要な複数の導体を定寸切断からＵ字成形までを連続で製作することができる。先端部をネイルシェイプ形状とすることで、複数のスロットが形成された固定子鉄心に回転軸方向から複数の導体を一度に挿入することができる。また、接続リングの組付けにおいても、導体端末位置に容易に組付けられる。接続リングを組付け、接続位置を固定する構造にすることで、隣接する導体端末は、均一な絶縁空間を確保することができる構造とすることができる。
【００２７】
磁気騒音を低減するための本発明の回転電機の固定子は、磁極の極数が１２、スロットの個数が９０、固定子巻線の相数が３、極数から決定される毎極毎相スロット数が２．５で磁極の１極当たり５本の導体で構成されることによって達成できる。固定子巻線で、軸方向から挿入される導体には、周期性の問題があるので、スロット１個に収納される巻線導体の本数は偶数としなければならない。上記回転電機の固定子は、一つのスロット当り４本の導体で、隣接する複数のスロットに磁極の１極当たり５本の導体を配置する構成で、磁極の１極当たり導体が内側、外側の２重の回路から構成することで、製造プロセスを分割することができ、設備をシンプル化することできる。また、相巻線において、内側回路と外側回路の組合せとし、内側回路の３本の導体と外側回路の２本の導体を組合せた５本の導体と内側回路の２本の導体と外側回路の３本の導体を組合せた５本の導体の組合せで構成することで、略バランス巻とすることができ、磁気騒音を低減することができる。上記回転電機の固定子は、回転子の磁極２極（極性の異なるＮ極とＳ極の磁極一対）当たりにスロットが１５個配置されていることになる。内側回路、外側回路とも波巻回路で構成され、１相当り３０巻となる。波巻回路では６巻で１周するが、巻き始めのスロット位置と６巻目の巻き終りのスロット位置が同じスロットとなる。２周目を隣接するスロットから巻き始めると１周目の巻き終りと２週目の巻き始めを接続することになる。そこで、１周目の巻き終りとなる６巻目の導体は跨ぎ幅の異なる導体で、隣接するスロット位置に配置することで、隣接するスロットから巻き始める２周目の巻き始めと２週目の巻き終りの接続を廃止できる。相巻線において、内側から巻き始めた場合、内側回路の巻き終りと外側回路の巻き始めを接続することになる。そこで、内側回路の巻き終りとなる導体は他の導体の捻り方向と逆方向に捻る形状にすることで、他の導体と干渉することなく、外側回路の巻き始めのスロット位置とすることができ、内側回路の巻き終りと外側回路の巻き始めの接続を廃止できる。また、相巻線において、端末部を接続することで回路構成するが、端末部に接続リングを組付けることで、端末位置を確実に固定でき、安定した接続とすることができる。以下、本発明の回転電機の実施例について、図面を用いて説明する。
【実施例１】
【００２８】
実施例１を説明する。図１に本実施例で使用する接続リングの拡大図、図２に接続リング組付け状態の拡大図を、図３に接続リング分割後の状態の拡大図を、図４に接続リング分割後の状態図を示す。上記図１から図４は、スロットの個数が９０、一つのスロット当り４本の導体で構成される例を示す。
【００２９】
図１において、接続リング１は、導体部１１と絶縁部１２から構成されている。接続リング１は、複数の導体４１の端末部４２の接続点数に対応した複数の溝部１３を有し、複数の溝部１３と隣接する複数の溝部１３の間は絶縁部１２が配置され、均一な絶縁が確保されている。一つのスロット当り４本の導体が配置されるので、端末部４２は、外周側から１番目と２番目が一対で、３番目と４番目が一対で接続されるので、接続リング１の溝部１３は外周側に９０個、内周側に９０個配置されている。導体部１１の上部は繋がっていて、導体端末部への組付け、フュージング等での接続時の導通確保に配慮されている。
【００３０】
図２において、固定子２は、複数のスロットが回転軸方向に形成された固定子鉄心３に導体群４が回転軸方向から挿入して配置されている。複数の導体４１の端末部４２は、幅広面は２面カットされ、先端はネイルシェイプ形状をしている。接続リング１は、固定子２の複数の導体４１の端末部４２に組み付ける。図３、図４において、組み付け後、コーキングにより、端末部４２を接続リング１の溝部１３に押し込み仮加締めされ、この姿勢を保持して、フュージングにより熱加締めされる。次に、導体部１１の上部を切削して接続リング１を分離して、固定子巻線を構成する。
【実施例２】
【００３１】
実施例２を説明する。図５に逆捻りの導体で接続した状態の拡大図で、スロットの個数が９０、一つのスロット当り４本の導体で構成される例を示す。一つのスロット当り４本の導体が配置されるので、外周側から１番目と２番目の複数の導体４１で構成される外側回路６と、３番目と４番目が複数の導体４１で構成される内側回路７とで構成され、外側回路の巻き終り導体４６と内側回路の巻き始め導体４８を接続することで相巻線を構成する。上記外側回路の巻き終り導体４６と内側回路の巻き始め導体４８の接続は、逆捻り導体４３を採用することで、接続を廃止することができる。
【実施例３】
【００３２】
実施例３を説明する。図６に跨ぎ幅の異なる導体で接続した状態の拡大図で、磁極の極数が１２、スロットの個数が９０、固定子巻線の相数が３、極数から決定される毎極毎相スロット数が２．５で磁極の１極当たり５本の導体で、一つのスロット当り４本の導体が配置で構成される巻線回路の例を示す。
【００３３】
この巻線回路は、一つのスロット当り４本の導体が径方向に１列に配置され、外周側から１番目、２番目の導体と３番目、４番目の導体に分割され、複数スロットの１番目、２番目の導体で構成される外側回路６と複数スロットの３番目、４番目の導体で構成される内側回路７の組合せで構成される。
【００３４】
上記外側回路６において、回転子の磁極２極（極性の異なるＮ極とＳ極の磁極一対）当たりにスロットが１５個配置される。複数の導体４１は跨ぎ幅が７スロットで端末側は両側に各４スロット、あるいは、跨ぎ幅が８スロットで端末側は両側に各３．５スロットに捻られる形状で、両端の端末位置はスロットの外周側から１番目と、もう一方は、２番目に配置される。複数の導体４１の端末部４２の１番目と他の複数の導体４１の端末部４２の２番目を接続する。順次繰返しで、波巻を構成するが、６本目で１周して、巻き始めの位置となる。隣接するスロットを同相とするためには、６本目の複数の導体４１を配置するところに、跨ぎ幅の異なる導体４４を配置すること１周目の巻き終りと隣接するスロットに配置される２周目の巻き始めを接続することなく、波巻を構成できる。
【実施例４】
【００３５】
実施例４を説明する。図７は、回転子の磁極２極当たりのスロット配置図を、図８に回転電機の固定子巻線の２Ｔ回路図を、図９に回転電機の固定子巻線の３Ｔ回路図を示す。
【００３６】
図７において、磁極の極数が１２、スロットの個数が９０、固定子巻線の相数が３、極数から決定される毎極毎相スロット数が２．５で磁極の１極当たり５本の導体で構成される巻線回路は、回転子の磁極２極（極性の異なるＮ極とＳ極の磁極一対）当たりにスロットが１５個配置される。また、一つのスロット当り４本の導体で、隣接する複数のスロットに磁極の１極当たり５本の導体を配置する。
【００３７】
この巻線回路は、一つのスロット当り４本の導体が径方向に１列に配置され、外周側から１番目、２番目の導体と３番目、４番目の導体に分割され、複数スロットの３番目、４番目の導体で構成される内側回路７と複数スロットの１番目、２番目の導体で構成される外側回路６の組合せで構成され、内側回路７の３本の導体と外側回路６の２本の導体を組合せた５本の導体と内側回路７の２本の導体と外側回路６の３本の導体を組合せた５本の導体の組合せで構成することで、略バランス巻とする。
【００３８】
図８において、外側回路６の２Ｔ回路について説明する。固定子２に配置される導体群４は、複数の導体４１、巻き始め導体４５、巻き終り導体４６、ブリッジ線４７で構成される。複数の導体４１は跨ぎ幅が７スロットで、２８度の捻り角で、両端の端末位置はスロットの外周側から１番目と、もう一方は２番目に配置される形状である。
【００３９】
固定子２のＮＯ１スロットの外周側から２番目に配置される巻き始め導体４５は、ＮＯ８３スロットの１番目に配置される複数の導体４１と接続される。ＮＯ８３スロット１番目に配置される複数の導体４１のもう一方の端末は、７スロット跨いだＮＯ７６スロット２番目に配置される。他の複数の導体４１は、ＮＯ６８スロット１番目とＮＯ６１スロット２番目に配置される。
【００４０】
ＮＯ７６スロット２番目の端末とＮＯ６８スロット１番目の端末を接続するが、８スロット跨いだ位置であるため、お互いに４スロットの１６度の捻り角で端末位置を合わせて接続して回路を構成する。
【００４１】
複数の導体４１を、上記通り順次繰返し回路を構成するが、ＮＯ８スロット１番目に複数の導体４１を配置すると、もう一方はＮＯ１スロット２番目に配置され、巻き始め導体４５と干渉する。ここに、ＮＯ８スロット１番目とＮＯ１スロット１番目に位置するブリッジ線４７を配置して干渉を防止する。
【００４２】
図上では、巻き始め導体４５からブリッジ線４７までは反時計廻りの波巻きで、ブリッジ線４７から巻き終り導体４６までは時計廻りの波巻きとなる。
【００４３】
ブリッジ線４７のＮＯ１スロット１番目の端末とＮＯ９スロット２番目とＮＯ１６スロット１番目に配置される複数の導体４１のＮＯ９スロット２番目を接続する。
【００４４】
次に、ＮＯ９スロット２番目とＮＯ１６スロット１番目に配置される複数の導体４１のＮＯ１６スロット１番目の端末とＮＯ２４スロット２番目とＮＯ３１スロット１番目に配置される複数の導体４１のＮＯ２４スロット２番目の端末を接続する。上記通り順次繰返し回路を構成して、ＮＯ６９スロット２番目とＮＯ７６スロット１番目に配置される複数の導体４１のＮＯ７６スロット１番目の端末とＮＯ８４スロット２番目に配置される巻き終り導体４６を接続する。
【００４５】
最終的には、巻き始め導体４５から始まり、反時計廻りで５本の複数の導体４１を通じてブリッジ線４７と接続され、ブリッジ線４７で隣接するスロットに位置され、今度は反時計廻りで５本の複数の導体４１を通じて巻き終り導体４６で終わる２Ｔの波巻き回路を構成する。
【００４６】
図９において、内側回路の３Ｔ回路について説明する。固定子２に配置される導体群は、複数の導体４１、巻き始め導体４８、巻き終り導体４９、跨ぎ幅の異なる導体５０、ブリッジ線５１で構成される。
【００４７】
複数の導体４１は跨ぎ幅が７スロットで、２８度の捻り角で、両端の端末位置はスロットの外周側から３番目と、もう一方は４番目に配置される形状である。
跨ぎ幅の異なる導体５０は跨ぎ幅が６スロットで、２４度の捻り角で、両端の端末位置はスロットの外周側から３番目と、もう一方は４番目に配置される形状である。
【００４８】
固定子２のＮＯ１スロットの外周側から３番目に配置される巻き始め導体４１は、ＮＯ８３スロット４番目に配置される複数の導体４１と接続される。ＮＯ８３スロット４番目に配置される複数の導体４１のもう一方の端末は、７スロット跨いだＮＯ７６スロット３番目に配置される。他の複数の導体４１は、ＮＯ６８スロット４番目とＮＯ６１スロット３番目に配置される。
【００４９】
ＮＯ７６スロット３番目の端末とＮＯ６８スロット４番目の端末を接続するが、８スロット跨いだ位置であるため、お互いに４スロットの１６度の捻り角で端末位置を合わせて接続して回路を構成する。
【００５０】
複数の導体４１を、上記通り順次繰返し回路を構成するが、ＮＯ８スロット４番目に複数の導体４１を配置すると、もう一方はＮＯ１スロット３番目に配置され、巻き始め導体４８と干渉する。ここに、ＮＯ８スロット４番目とＮＯ２スロット３番目を接続する跨ぎ幅の異なる導体５０を配置して隣接するスロットを同極にする。跨ぎ幅の異なる導体５０のＮＯ２スロット３番目の端末はＮＯ８４スロット４番目に配置される複数の導体４１と接続される。
【００５１】
ＮＯ８４スロット４番目に配置される複数の導体４１のもう一方の端末は、７スロット跨いだＮＯ７７スロット３番目に配置される。他の複数の導体４１は、ＮＯ６９スロット４番目とＮＯ６２スロット３番目に配置される。
【００５２】
複数の導体４１を、上記通り順次繰返し回路を構成するが、ＮＯ９スロット４番目に複数の導体４１を配置すると、もう一方はＮＯ２スロット３番目に配置され、跨ぎ幅の異なる導体５０と干渉する。ここに、ＮＯ９スロット４番目とＮＯ１スロット４番目を接続するブリッジ線５１を配置して導体間の干渉を回避する。図上では、巻き始め導体４８からブリッジ線５１までは反時計廻りの波巻きで、ブリッジ線５１から巻き終り導体４９までは時計廻りの波巻きとなる。ブリッジ線５１のＮＯ１スロット４番目の端末とＮＯ９スロット３番目とＮＯ１６スロットの４番目に配置される複数の導体４１のＮＯ９スロット３番目を接続する。
【００５３】
次に、ＮＯ９スロット３番目とＮＯ１７スロット４番目に配置される複数の導体４１のＮＯ１７スロット４番目の端末とＮＯ２４スロットの３番目とＮＯ３２スロット４番目に配置される複数の導体４１のＮＯ２４スロット３番目の端末を接続する。上記通り順次繰返し回路を構成して、ＮＯ６９スロット３番目とＮＯ７７スロット４番目に配置される複数の導体４１のＮＯ７７スロット４番目の端末とＮＯ８４スロット３番目に配置される巻き終り導体４９を接続する。
【００５４】
最終的には、巻き始め導体４８から始まり、反時計廻りで５本の複数の導体４１を通じて跨ぎ幅の異なる導体５０と接続され、跨ぎ幅の異なる導体５０で隣接するスロットに位置され、更に、反時計廻りで５本の複数の導体４１を通じてブリッジ線５１までの２Ｔの波巻き回路を構成して、今度は反時計廻りで５本の複数の導体４１を通じて巻き終り導体４９で終わる３Ｔの波巻き回路を構成する。
【００５５】
図１０は固定子の外側回路を２Ｔで波巻きする外観を示す。図上では、巻き始め導体４５から５本の複数の導体４１を通じてブリッジ線４７までは時計廻りの波巻きで、ブリッジ線４７から５本の複数の導体４１を通じて巻き終り導体４６までは反時計廻りの波巻きとなる状態を示す。
【００５６】
図１１は固定子の内側回路を３Ｔで波巻きする外観を示す。図上では、巻き始め導体４８から５本の複数の導体４１を通じて跨ぎ幅の異なる導体５０と接続され、跨ぎ幅の異なる導体５０から５本の複数の導体４１を通じてブリッジ線５１までは反時計廻りの波巻きで、ブリッジ線５１から５本の複数の導体４１を通じて巻き終り導体４９までは時計廻りの波巻きとなる状態を示す。
【００５７】
図１２は回転電機の固定子の１相分組付の外観を示す。図上では、外側２Ｔ回路と内側３Ｔ回路を組合せて５Ｔ波巻きとなる状態を示す。２Ｔ回路の巻き終り導体４６と３Ｔ回路の巻き始め導体４８を接続することで５Ｔ回路を構成するが、上記巻き終り導体４６と巻き始め導体４８の替わりに逆捻り導体４３を配置することで、接続を廃止することができ、２Ｔ回路の巻き始め導体４５から始まり、３Ｔ回路の巻き終り導体４９までの５Ｔ回路となる１相分組付構成となる。
【００５８】
外側３Ｔ回路と内側２Ｔ回路を組合せて５Ｔ波巻きとなる組合せにおいても、上記同様に３Ｔ回路の巻き終り導体と２Ｔ回路の巻き始め導体を接続することで、３Ｔ回路の巻き始め導体から始まり、２Ｔ回路の巻き終り導体までの５Ｔ回路となる１相分組付構成することができる。
【００５９】
図１３は回転電機の固定子巻線の外観を示す。固定子巻線は、内側２本＋外側３本の組合せで５本となる相巻線５２、５３、５４と内側３本＋外側２本の組合せで５本となる相巻線５５、５６、５７が適正位置に配置され、電気角で２８．８度の位相の違う二つのＹ回路で構成されている。図上の、内側２本＋外側３本の組合せで５本となる巻線５２、５３、５４の各片方の端末部を接続して中性点とする。また、内側３本＋外側２本との組合せで５本となる巻線５５、５６、５７の各片方の端末部を接続して中性点とする。ブリッジ線４７、５１はスロット４番目位置の最内層とスロット１番目の最外層に配置して回路を構成する。
【００６０】
図１４は、回転電機の固定子の接続リング組付外観を示す。接続リング１は、組み付け後、コーキングにより、端末部４２を接続リング１の溝部１３に押し込み仮加締めされ、この姿勢を保持して、フュージングにより熱加締めされる。次に、導体部１１の上部を切削して接続リング１を分離して、固定子巻線を構成する。
【００６１】
巻線回路の製造方法においては、１相毎に回路製作して、組付けることは不可能であり、全導体同時成形、同時挿入で製作することが前提となる。
【００６２】
本巻線回路で必要とする導体は、２種類の複数の導体４１、巻き始め導体４５と４８、巻き終り導体４６と４９、ブリッジ線４７と５１、跨ぎ幅の異なる導体５０、逆捻り導体４３の多種類の導体が必要となる。Ｕ字形状の導体に換算すると、１台の固定子巻線を製作するのに、１８０本の導体が必要となる。
【００６３】
複数本の導体を製作するには、第一に導体の種類を減らす必要がある。そこで、２種類の複数の導体４１、跨ぎ幅の異なる導体５０、逆捻り導体４３を同一のＵ字形状とした。巻き始め導体４５と４８、巻き終り導体４６と４９の全長を同一として、導体形状を３種類とした。
【００６４】
同時捻り成形においては、内径側の端末位置が固定され、外径側の端末位置を導体２の捻り角の７スロット相当捻る構造とした。跨ぎ幅の異なる導体５０は導体セット時に−１となる位置にセットして７スロット相当捻ると６スロット相当捻るようにした。３種類の導体は形状が異なるため、捻り後の導体間の絶縁空間を確保するため、正規位置より（＋）方向に導体間を密着させた捻りを行い、次にオーバーランの角度の約１／２を正規位置より（‐）方向に戻し、最後に正規位置に捻る方式でスプリングバックを少なくして、かつ導体間の絶縁空間を確保する成形をしている。
【実施例５】
【００６５】
実施例５を説明する。図１５は、回転電機の固定子巻線の２Ｔ回路図を、図１６に回転電機の固定子巻線の３Ｔ回路図を示す。磁極の極数が１２、スロットの個数が９０、固定子巻線の相数が３、極数から決定される毎極毎相スロット数が２．５  で磁極の１極当たり５本の導体で構成される巻線回路は、回転子の磁極２極（極性の異なるＮ極とＳ極の磁極一対）当たりにスロットが１５個配置される。また、一つのスロット当り４本の導体で、隣接する複数のスロットに磁極の１極当たり５本の導体を配置する。
【００６６】
この巻線回路は、一つのスロット当り４本の導体が径方向に１列に配置され、外周側から１番目、２番目の導体と３番目、４番目の導体に分割され、複数スロットの３番目、４番目の導体で構成される内側回路と複数スロットの１番目、２番目の導体で構成される外側回路の組合せで構成され、内側回路の３本の導体と外側回路の２本の導体を組合せた５本の導体と内側回路の２本の導体と外側回路の３本の導体を組合せた５本の導体の組合せで構成することで、略バランス巻とする。
【００６７】
図１５において、外側回路の２Ｔ回路について説明する。固定子２に配置される導体群８は、複数の導体８１、巻き始め導体８２、巻き終り導体８３、ブリッジ線８４で構成される。
【００６８】
複数の導体８１は、跨ぎ幅が８スロットの３２度の捻り角で、両端の端末位置はスロットの外周側から１番目と、もう一方は２番目に配置され、端末部は７スロットの１／２で１４度の捻りとなる形状である。
【００６９】
回転子の磁極２極（極性の異なるＮ極とＳ極の磁極一対）当たりにスロットが１５個配置されることから、複数の導体８１は跨ぎ幅が７スロットで端末部を８スロットの１／２で１６度の捻りとなる形状でも巻線回路が成立する。
【００７０】
固定子１のＮＯ１スロットの外周側から２番目に配置される巻き始め導体８２は、ＮＯ８４スロット１番目に配置される複数の導体８１と接続される。
【００７１】
ＮＯ８４スロット１番目に配置される複数の導体８１のもう一方の端末は、８スロット跨いだＮＯ７６スロット２番目に配置される。他の複数の導体８１は、ＮＯ６９スロット１番目とＮＯ６１スロット２番目に配置される。
【００７２】
ＮＯ７６スロット２番目の端末とＮＯ６９スロット１番目の端末を接続するが、７スロット跨いだ位置であるため、お互いに３．５スロットの１４度の捻り角で端末位置を合わせて接続して回路を構成する。
【００７３】
複数の導体８１を、上記通り順次繰返し回路を構成するが、ＮＯ９スロット１番目に複数の導体８１を配置すると、もう一方はＮＯ１スロット２番目に配置され、巻き始め導体８２と干渉する。ここに、ＮＯ９スロット１番目とＮＯ２スロット１番目を接続するブリッジ線８４を配置して、隣接するスロットを同極にする。図上では、巻き始め導体８２からブリッジ線２４までは反時計廻りの波巻きで、ブリッジ線８４から巻き終り導体８３までは時計廻りの波巻きとなる。ブリッジ線８４のＮＯ２スロット１番目の端末とＮＯ９スロット２番目とＮＯ１７スロット１番目に配置される複数の導体８１のＮＯ９スロット２番目を接続する。次に、ＮＯ９スロット２番目とＮＯ１７スロット１番目に配置される複数の導体８１のＮＯ１７スロット１番目の端末とＮＯ２４スロット２番目とＮＯ３２スロット１番目に配置される複数の導体８１のＮＯ２４スロット２番目の端末を接続する。上記通り順次繰返し回路を構成して、ＮＯ６９スロット２番目とＮＯ７７スロット１番目に配置される複数の導体８１のＮＯ７７スロット１番目の端末とＮＯ８４スロット２番目に配置される巻き終り導体８３を接続する。
【００７４】
最終的には、巻き始め導体８２から始まり、反時計廻りで５本の複数の導体８１を通じてブリッジ線８４と接続され、ブリッジ線８４で隣接するスロットに位置され、今度は反時計廻りで５本の複数の導体８１を通じて巻き終り導体８３で終わる２Ｔの波巻き回路を構成する。
【００７５】
図１６において、内側回路の３Ｔ回路について説明する。固定子２に配置される導体群８は、複数の導体８１、巻き始め導体８５、巻き終り導体８６、跨ぎ幅の異なる導体８７、ブリッジ線８８で構成される。
【００７６】
複数の導体８１は跨ぎ幅が８スロットの３２度の捻り角で、両端の端末位置はスロットの外周側から３番目と、もう一方は４番目に配置される形状である。跨ぎ幅の異なる導体８７は跨ぎ幅が７スロットの２８度の捻り角で、両端の端末位置はスロットの外周側から３番目と、もう一方は４番目に配置される形状である。
【００７７】
固定子２のＮＯ１スロットの外周側から３番目に配置される巻き始め導体８５は、ＮＯ８４スロット４番目に配置される複数の導体８１と接続される。ＮＯ８４スロット４番目に配置される複数の導体８１のもう一方の端末は、８スロット跨いだＮＯ７６スロット３番目に配置される。他の複数の導体８１は、ＮＯ６９スロット４番目とＮＯ６１スロット３番目に配置される。
【００７８】
ＮＯ７６スロット３番目の端末とＮＯ６９スロット４番目の端末を接続するが、７スロット跨いだ位置であるため、お互いに３．５スロットの１４度の捻り角で端末位置を合わせて接続して回路を構成する。
【００７９】
複数の導体８１を、上記通り順次繰返し回路を構成するが、ＮＯ９スロット４番目に複数の導体８１を配置すると、もう一方はＮＯ１スロット３番目に配置され、巻き始め導体８５と干渉する。ここに、ＮＯ９スロット４番目とＮＯ２スロット３番目に位置する跨ぎ幅の異なる導体８７を配置して隣接するスロットを同極にする。跨ぎ幅の異なる導体８７のＮＯ２スロット３番目の端末はＮＯ８５スロット４番目に配置される複数の導体８１と接続される。ＮＯ８５スロット４番目に配置される複数の導体８１の、もう一方の端末は８スロット跨いだＮＯ７７スロット３番目に配置される。他の複数の導体８１は、ＮＯ７０スロット４番目とＮＯ６２スロット３番目に配置される。
【００８０】
複数の導体８１を、上記通り順次繰返し回路を構成するが、ＮＯ１０スロット４番目に複数の導体８１を配置すると、もう一方はＮＯ２スロット３番目に配置され、跨ぎ幅の異なる導体８７と干渉する。図上では、巻き始め導体８５からブリッジ線８８までは反時計廻りの波巻きで、ブリッジ線８８から巻き終り導体８６までは時計廻りの波巻きとなる。ブリッジ線８８のＮＯ２スロット４番目の端末とＮＯ９スロット３番目とＮＯ１７スロット４番目に配置される複数の導体８１のＮＯ９スロット３番目を接続する。次に、ＮＯ９スロット３番目とＮＯ１７スロット４番目に配置される複数の導体８１のＮＯ１７スロット４番目の端末とＮＯ２４スロット３番目とＮＯ３２スロット４番目に配置される複数の導体８１のＮＯ２４スロット３番目の端末を接続する。上記通り順次繰返し回路を構成して、ＮＯ６９スロット３番目とＮＯ７７スロット４番目に配置される複数の導体８１のＮＯ７７スロット４番目の端末とＮＯ８４スロット３番目に配置される巻き終り導体８６を接続する。
【００８１】
最終的には、巻き始め導体８５から始まり、反時計廻りで５本の複数の導体８１を通じて跨ぎ幅の異なる導体８７と接続され、跨ぎ幅の異なる導体８７で隣接するスロットに位置され、更に、反時計廻りで５本の複数の導体８１を通じてブリッジ線８８までの２Ｔの波巻き回路を構成して、今度は反時計廻りで５本の複数の導体８１を通じて巻き終り導体８６で終わる３Ｔの波巻き回路を構成する。
【００８２】
図１７は固定子の外側回路を２Ｔで波巻きする外観を示す。図上では、巻き始め導体８２から５本の複数の導体８１を通じてブリッジ線８４までは時計廻りの波巻きで、ブリッジ線８４から５本の複数の導体８１を通じて巻き終り導体８３までは反時計廻りの波巻きとなる状態を示す。
【００８３】
図１８は固定子の内側回路を３Ｔで波巻きする外観を示す。図上では、巻き始め導体８５から５本の複数の導体８１を通じて跨ぎ幅の異なる導体８７と接続され、跨ぎ幅の異なる導体８７から５本の複数の導体８１を通じてブリッジ線８８までは反時計廻りの波巻きで、ブリッジ線８８から５本の複数の導体８１を通じて巻き終り導体８６までは時計廻りの波巻きとなる状態を示す。
【００８４】
図１９は回転電機の固定子の１相分組付の外観を示す。図上では、外側２Ｔ回路と内側３Ｔ回路を組合せて５Ｔ波巻きとなる状態を示す。２Ｔ回路の巻き終り導体８３と３Ｔ回路の巻き始め導体８５は無剥離の平角導体で、ろう材が表面に貼りつけられた銅端子１０を用いて、特許文献４記載の接続方式を応用して接続され、２Ｔ回路の巻き始め導体８２から始まり、３Ｔ回路の巻き終り導体８６までの５Ｔ回路となる１相分組付の状態を示す。
【００８５】
外側３Ｔ回路と内側２Ｔ回路を組合せて５Ｔ波巻きとなる組合せにおいても、上記同様に３Ｔ回路の巻き終り導体と２Ｔ回路の巻き始め導体を接続することで、３Ｔ回路の巻き始め導体から始まり、２Ｔ回路の巻き終り導体までの５Ｔ回路とすることができる。
【００８６】
図２０は回転電機の固定子巻線の外観を示す。固定子巻線は、内側２本＋外側３本の組合せで５本となる相巻線８９、９０、９１と内側３本＋外側２本の組合せで５本となる相巻線９２、９３、９４が適正位置に配置され、電気角で２８．８度の位相の違う二つのＹ回路で構成されている。図上では、内側２本＋外側３本の組合せで５本となる巻線８９、９０、９１の中性点９５と内側３本＋外側２本との組合せで５本となる巻線９２、９３、９４の中性点９６の接続は、無剥離の平角導体を、ろう材が表面に貼りつけられた銅端子１０を用いて、特開平１０‐４６４６の接続方式を応用して接続されている。また、ブリッジ線はスロット４番目位置の最内層とスロット１番目の最外層に配置して回路を構成する。
【００８７】
巻線回路の製造方法においては、１相毎に回路製作して、組付けることは不可能であり、全導体同時成形、同時挿入で製作することが前提となる。
【００８８】
本巻線回路で必要とする導体は、２種類の複数の導体８１、巻き始め導体８２と８５、巻き終り導体８３と８６、ブリッジ線８４と８８、跨ぎ幅の異なる導体８７の多種類の導体が必要となる。Ｕ字形状の導体に換算すると、１台の固定子巻線を製作するのに、１８０本の導体が必要となる。複数本の導体を製作するには、第一に導体の種類を減らす必要がある。そこで、２種類の複数の導体８１、跨ぎ幅の異なる導体８７を同一のＵ字形状とした。巻き始め導体８２と８５、巻き終り導体８３と８６の全長を同一として、導体形状を３種類とした。巻線回路を内、外側回路の構成とすることで、４重構造の捻り方式を２重構造の単純構造で、内、外側回路各９０本の成形で対応できるようにした。
【００８９】
全数同時捻り成形においては、内径側の端末位置が固定され、外径側の端末位置を導体２の捻り角の８スロット相当捻る構造とした。跨ぎ幅の異なる導体２７は導体セット時に−１となる位置にセットして８スロット相当捻ると７スロット相当捻るようにした。３種類の導体は形状が異なるため、捻り後の導体間の絶縁空間を確保するため、外径側の端末を保持して正規位置より（＋）方向に導体間を密着させた捻りを行い、次にオーバーランの角度の約１／２を正規位置より（‐）方向に戻し、最後に正規位置に捻る方式でスプリングバックを少なくして、かつ導体間の絶縁空間を確保する成形をしている。
【００９０】
上記巻線回路は、一つのスロット当り４本の導体が径方向に１列に配置され、外周側から１番目、２番目の導体と３番目、４番目の導体に分割され、複数スロットの３番目、４番目の導体で構成される内側回路と複数スロットの１番目、２番目の導体で構成される外側回路の組合せで構成され、内側回路の３本の導体と外側回路の２本の導体を組合せた５本の導体と内側回路の２本の導体と外側回路の３本の導体を組合せた５本の導体の組合せで構成することで、略バランス巻としているが、内側回路を２．５巻の波巻と外側回路を２．５巻の波巻を組合せた５巻の波巻でバランス巻構成とすることもできる。
【実施例６】
【００９１】
実施例６を説明する。図２１はアンバランス巻きのスロット配置図で、磁極の極数が１２、スロットの個数が９０、固定子巻線の相数が３、極数から決定される毎極毎相スロット数が２．５で磁極の１極当たり５本の導体で、一つのスロット当り４本の導体が配置で構成される巻線回路の例を示す。
【００９２】
外側回路において、巻き始め導体、巻き終り導体、複数の導体の組合せで、相巻線が構成できる。この相巻線を適正位置に配置して３相巻線を構成することができる。同様に、内側回路で３相巻線を構成することができる。この組合せで位相の違う二つのＹ回路のアンバランス巻きが構成できる。この回転電機は、音が大きくなるが、出力を大きくすることができる。
【００９３】
本発明は、車両交流発電機の固定子にとどまらず、電気自動車、汎用発電機などの軸方向から挿入される導体端末を接続して、巻線を構成する回転電機の固定子に採用できる。
【図面の簡単な説明】
【００９４】
【図１】実施例１における接続リングの拡大図。
【図２】実施例１における接続リング組付け状態の拡大図。
【図３】実施例１における接続リング分割後の状態の拡大図。
【図４】実施例１における接続リング分割後の状態図。
【図５】実施例２における逆捻りの導体で接続した状態の拡大図。
【図６】実施例３における跨ぎ幅の異なる導体で接続した状態の拡大図。
【図７】実施例４の回転子の磁極２極当たりのスロット配置図。
【図８】実施例４の回転電機の固定子巻線の２Ｔ回路図。
【図９】実施例４の回転電機の固定子巻線の３Ｔ回路図。
【図１０】実施例４における固定子の外側回路を２Ｔで波巻きする外観図。
【図１１】実施例４における固定子の内側回路を３Ｔで波巻きする外観図。
【図１２】実施例４の回転電機の固定子の１相分組付の外観図。
【図１３】実施例４の回転電機の固定子巻線の外観図。
【図１４】実施例４の回転電機の固定子の接続リング組付外観図。
【図１５】実施例５の回転電機の固定子巻線の２Ｔ回路図。
【図１６】実施例５の回転電機の固定子巻線の３Ｔ回路図。
【図１７】実施例５における固定子の外側回路を２Ｔで波巻きする外観図。
【図１８】実施例５における固定子の内側回路を３Ｔで波巻きする外観図。
【図１９】実施例５の回転電機の固定子の１相分組付の外観図。
【図２０】実施例５の回転電機の固定子の外観図。
【図２１】実施例６におけるアンバランス巻きのスロット配置図。
【符号の説明】
【００９５】
１  接続リング
１１  導体部
１２  絶縁部
１３  溝部
２  固定子
３  固定子鉄心
４  導体群
４１  複数の導体
４２  端末部
４３  逆捻り導体
４４  跨ぎ幅の異なる導体
４５  ２Ｔ回路の巻き始め導体
４６  ２Ｔ回路の巻き終り導体
４７  ２Ｔ回路のブリッジ線
４８  ３Ｔ回路の巻き始め導体
４９  ３Ｔ回路の巻き終り導体
５０  ３Ｔ回路の跨ぎ幅の異なる導体
５１  ３Ｔ回路のブリッジ線
５２  内側２本＋外側３本の組合せで５本となる相巻線（Ｕ１相）
５３  内側２本＋外側３本の組合せで５本となる相巻線（Ｖ１相）
５４  内側２本＋外側３本の組合せで５本となる相巻線（Ｗ１相）
５５  内側３本＋外側２本の組合せで５本となる相巻線（Ｕ２相）
５６  内側３本＋外側２本の組合せで５本となる相巻線（Ｖ２相）
５７  内側３本＋外側２本の組合せで５本となる相巻線（Ｗ２相）
６  外側回路
７  内側回路
８  導体群
８１  複数の導体
８２  ２Ｔ回路の巻き始め導体
８３  ２Ｔ回路の巻き終り導体
８４  ２Ｔ回路のブリッジ線
８５  ３Ｔ回路の巻き始め導体
８６  ３Ｔ回路の巻き終り導体
８７  ３Ｔ回路の跨ぎ幅の異なる導体
８８  ３Ｔ回路のブリッジ線
８９  内側２本＋外側３本の組合せで５本となる相巻線（Ｕ１相）
９０  内側２本＋外側３本の組合せで５本となる相巻線（Ｖ１相）
９１  内側２本＋外側３本の組合せで５本となる相巻線（Ｗ１相）
９２  内側３本＋外側２本の組合せで５本となる相巻線（Ｕ２相）
９３  内側３本＋外側２本の組合せで５本となる相巻線（Ｖ２相）
９４  内側３本＋外側２本の組合せで５本となる相巻線（Ｗ２相）
９５  中性点１
９６  中性点２
１０  銅端子
【図１】
2005253145.tif 000003
【図２】
2005253145.tif 000004
【図３】
2005253145.tif 000005
【図４】
2005253145.tif 000006
【図５】
2005253145.tif 000007
【図６】
2005253145.tif 000008
【図７】
2005253145.tif 000009
【図８】
2005253145.tif 000010
【図９】
2005253145.tif 000011
【図１０】
2005253145.tif 000012
【図１１】
2005253145.tif 000013
【図１２】
2005253145.tif 000014
【図１３】
2005253145.tif 000015
【図１４】
2005253145.tif 000016
【図１５】
2005253145.tif 000017
【図１６】
2005253145.tif 000018
【図１７】
2005253145.tif 000019
【図１８】
2005253145.tif 000020
【図１９】
2005253145.tif 000021
【図２０】
2005253145.tif 000022
【図２１】
2005253145.tif 000023